(57)【要約】【課題】エレベータの乗り場操作盤の操作盤プレートを容易に取り外すことができ、保守作業を効率的に行えるようにする。【解決手段】エレベータ乗り場１０の建屋壁１に操作盤ケース４が設置され、当該操作盤ケース４の建屋壁１の表面側が操作盤プレート４によって蓋され、当該操作盤プレート４が操作盤ケース４内で板バネ４１ａ，４１ｂにより弾性的に保持されたエレベータ操作盤３の操作盤プレート４を取り外し方法であって、予め操作盤プレート４の端縁（下端３１ｃ）の建屋壁１側の面に切欠き３１ａを形成しておき、切欠き３１ａに取り外し治具７の操作用突起７２を引っ掛け、当該操作用突起７２を引っ掛けた状態で当該治具７を引っ張り、操作盤プレート４を板バネ４１ａ，４１ｂの保持力から開放して操作盤ケース４から取り外すようにした。【選択図】図８
2014009072.tif 000002
【特許請求の範囲】
【請求項１】
エレベータ乗り場の建屋壁に操作盤ケースが設置され、当該操作盤ケースの表側が操作盤プレートによって蓋され、当該操作盤プレートが前記操作盤ケース内で保持手段により弾性的に保持されたエレベータ操作盤の前記操作盤プレートを取り外す操作盤プレートの取り外し方法であって、
予め前記操作盤プレートの端縁の裏面側に被係合部を形成しておき、
前記被係合部に取り外し治具の係合部を引っ掛け、
前記係合部を引っ掛けた状態で前記取り外し治具に前記操作盤プレートの表側の面に対して垂直な方向に力を加え、
前記操作盤プレートを前記保持手段の保持力から開放して前記操作盤ケースから取り外すこと
を特徴とする操作盤プレートの取り外し方法。
【請求項２】
請求項１に記載の操作盤プレートの取り外し方法であって、
前記端縁が前記操作盤プレートの下端側の端縁であり、
前記被係合部が下端側の端縁に設けられた切欠きであること
を特徴とする操作盤プレートの取り外し方法。
【請求項３】
請求項２に記載の操作盤プレートの取り外し方法であって、
前記取り外し治具の係合部が、当該取り外し治具の操作部から突出した突出部の先端に形成された突起であること
を特徴とする操作盤プレートの取り外し方法。
【請求項４】
請求項３に記載の操作盤プレートの取り外し方法であって、
前記突起が、前記突出部の先端が折り曲げられ、前記切欠きと前記壁面との間に挿入されるべく平面状に形成されていること
を特徴とする操作盤プレートの取り外し方法。
【請求項５】
エレベータ乗り場の建屋壁に操作盤ケースが設置され、当該操作盤ケースの表側が操作盤プレートによって蓋され、前記操作盤ケース内で保持手段により弾性的に保持されたエレベータ操作盤の前記操作盤プレートを取り外すための取り外し治具であって、
予め被係合部が形成された前記操作盤プレートの前記被係合部に引っ掛けるための係合部と、
前記係合部を引っ掛けた状態で前記壁面から離間する方向に力を加えるための操作部と、
を備えたことを特徴とする取り外し治具。
【請求項６】
請求項５に記載の取り外し治具であって、
前記係合部と前記操作部が線材によって一体に形成され、
前記操作部は予め設定された回数巻回されたリング状部を備え、
前記係合部は前記リング状部の一端から外側に延長された線材の先端に形成されていること
を特徴とする取り外し治具。
【請求項７】
エレベータ乗り場の壁面に設置された操作盤ケースと、
当該操作盤ケースの前記壁面の表面側を蓋する操作盤プレートと、
前記操作盤ケース内で前記操作盤プレートを弾性的に保持する保持手段と、
を備えたエレベータ操作盤であって、
前記操作盤プレートの予め設定された端縁に、操作盤プレートを取り外すための取り外し治具の係合部を引っ掛けるための被係合部を備えていること
を特徴とするエレベータ操作盤。
【請求項８】
請求項７に記載のエレベータ操作盤であって、
前記端縁が前記操作盤プレートの下端側の端縁であり、
前記被係合部が前記下端側の端縁に設けられていること
を特徴とするエレベータ操作盤。
【請求項９】
請求項７または８に記載のエレベータ操作盤であって、
前記被係合部が切欠きあるいは溝または凹部からなること
を特徴とするエレベータ操作盤。
【発明の詳細な説明】
【技術分野】
【０００１】
本発明は、エレベータの乗り場操作盤の操作盤プレートの取り外し方法、操作盤取り外し治具及び操作盤に係り、特に、エレベータの乗り場に設置され、ユーザが操作するための操作盤プレートの取り外し方法、この方法を実施する際に使用される操作盤取り外し治具、及び当該治具によって取り外される操作盤に関する。
【背景技術】
【０００２】
近年、機械室レスエレベータが主流となっている。このような機械室レスエレベータにおいて、ブレーキなどのエレベータ機器の保守点検を行う場合、作業者の安全を確保するため昇降路外から機器の状態を確認する点検作業が増えている。他方、昇降路内の制御盤から敷設される保全用の専用ケーブルは、乗り場近傍に設けられた操作盤プレート奥に設置される操作盤ケース内部に収納されており、点検作業では、前記保全用ケーブルを用いて特殊な運転を行い、あるいはエレベータ制御回路の短絡、さらには保全端末の操作を行う。その際、点検作業者は操作盤プレートを取り外し、操作盤ケース内部の保全用ケーブルに前記保全端末を接続し、当該保全端末を操作することが必要になる。
【０００３】
このような取り外しの技術としては、エレベータの乗り場操作盤を取り外すためのものではないが、特開平７−１２４８７２号公報（特許文献１）に記載された発明が知られている。この発明は、多数のモジュールが隣接して取り付けられる場合において、モジュールの取り外しを容易に行えるようにすることを目的とし、モジュールに引っ掛けるためモジュール取り外し治具の先端を細くし、湾曲させた引っ掛け部を設け、他端を大きい湾曲を有する引出し部として形成し、引っ掛け部をモジュールの側壁の開口に引っ掛けて取り外し方向に力を加えることによってモジュールを容易に引き出すことができるようにしたものである。具体的には、先端が細く形成された平板状部材であって、先端を少なくとも９０°曲げた引っ掛け部と、他端を少なくとも９０°以上曲げて構成した引出し部と、を有するモジュール取り外し治具が提案されている。
【先行技術文献】
【特許文献】
【０００４】
【特許文献１】特開平７−１２４８７２号公報
【発明の概要】
【発明が解決しようとする課題】
【０００５】
エレベータの乗り場側の操作盤は、乗り場の表側に面した操作盤プレートと建屋壁に埋設された操作盤ケースとから構成されている。操作盤プレートは、当該操作盤プレートに設けられた板状の爪部を弾性変形させて容易には開けることのできない板バネで操作盤ケースに保持されている。このような構成で、エレベータの保全作業を安全かつ容易に実施するために、エレベータ乗り場側の操作盤ケース内部に収納された保全用ケーブルに保全端末を接続して特殊な運転を行わせ、あるいはエレベータ制御回路を短絡させ、その他の保全作業のために保全端末を操作するが、そのためには、乗り場側の操作盤プレートを取り外す必要がある。
【０００６】
前述のように操作盤プレートは板バネからなる爪部によって操作盤ケースに弾性的に保持されていること、操作盤プレートの厚さ数ｍｍであり、操作盤プレートの表面は前記厚さ分しか突出していないこと、などから、エレベータの保守員が保守作業のために操作盤プレートを開ける作業を行う場合、操作盤プレートと建屋壁との僅かな隙間にドライバを差し込んでこじ開けるようにしていた。このようにドライバを使用してこじ開けると、建屋壁あるいは操作盤ケースの縁部を傷付けることがあった。
【０００７】
他方、前述の公知例では、モジュール取り外し治具によってモジュールの取り外しを容易に行えるように意図されているが、取り外し対象がスナップフィットによってベース上に取り付けられているモジュールであって、しかもモジュールの側壁に設けられた開口の縁部の前記側壁を挟み込むようにして引っ掛け、側壁と平行な方向に引き出すように構成されている。そのため、エレベータの乗り場側の操作盤のように建屋壁との間に先端を挿入し、操作盤を操作盤表面と直交する方向に引き出すことは難しかった。
【０００８】
このようなことから、保守員が手の指先だけで操作盤プレートを開けることも行われているが、指先のみの力で開けることとなるので開けるのは容易ではなかった。また、開ける際に指先を痛めることも想定され、操作盤プレート部の周囲の建屋壁との壁際を汚してしまうことも考えられた。
【０００９】
そこで、本発明が解決しようとする課題は、エレベータの乗り場操作盤の操作盤プレートを容易に取り外すことができ、保守作業を効率的に行えるようにすることにある。
【課題を解決するための手段】
【００１０】
前記課題を解決するため、本発明は、エレベータ乗り場の壁面に操作盤ケースが設置され、当該操作盤ケースの前記壁面の表面側が操作盤プレートによって蓋され、当該操作盤プレートが前記操作盤ケース内で保持手段により弾性的に保持されたエレベータ操作盤の前記操作盤プレートを取り外す操作盤プレートの取り外し方法であって、予め前記操作盤プレートの端縁の前記壁面側に位置する裏側の面に被係合部を形成しておき、前記被係合部に取り外し治具の係合部を引っ掛け、前記係合部を引っ掛けた状態で前記操作盤プレートの表面に対して垂直な方向に力を加え、前記操作盤プレートを前記保持手段の保持力から開放して前記操作盤ケースから取り外すことを特徴とする。
【発明の効果】
【００１１】
本発明によれば、治具を使用してエレベータの乗り場操作盤の操作盤プレートを容易に取り外すことが可能となり、保守作業を効率的に行うことができる。
【００１２】
前記以外の課題、構成及び効果は、以下の実施形態の説明によって明らかになる。
【図面の簡単な説明】
【００１３】
【図１】操作盤が建屋壁に設けられた一般的なエレベータ乗り場の構成を示す図である。
【図２】図１における操作盤のＡ−Ａ線断面図である。
【図３】図１における操作盤のＢ−Ｂ線断面図である。
【図４】図２における操作盤の下部の状態を示す要部断面図である。
【図５】本発明の実施形態に係る操作盤プレートを引き出す治具の正面図である。
【図６】図５に示した治具の平面図である。
【図７】図５に示した治具の操作盤プレートを引き出す操作用突起の部分を拡大して示す右側面図である。
【図８】図５に示した治具を使用して操作盤プレートを引き出すときの動作を示す動作説明図である。
【発明を実施するための形態】
【００１４】
本発明は、エレベータ乗り場に設置されるエレベータ操作盤の操作盤プレートを、治具を使用して開放し、保守作業を効率よく実施するための操作盤の取り外し方法、及びこの方法を実施するための治具及び操作盤の構造を提案するものである。以下、本発明の実施形態について、図面を参照しながら説明する。
【００１５】
図１は一般的なエレベータ乗り場の状態を示す正面図である。同図において、エレベータ乗り場１０には、正面に建屋壁１の開口部１ａが設けられ、この開口部１ａの奥側にエレベータの乗り場ドア２が開閉可能に設置されている。開口部１ａの図において右側の建屋壁１には、エレベータに乗る乗客がエレベータを呼ぶための操作盤（エレベータ操作盤）３が設けられている。
【００１６】
図２は図１における操作盤のＡ−Ａ線断面図、図３は図１における操作盤のＢ−Ｂ線断面図である。これらの図において、操作盤３はケース（以下、操作盤ケースと称す）４及び操作盤プレート３１を含み、操作盤プレート３１の裏面側には第１及び第２の一対の爪部３４ａ，３４ｂが設けられている。第１及び第２の爪部３４ａ，３４ｂは板状であり、操作盤プレート３１の裏面から垂直に、前記操作盤ケース４の垂直方向の側壁４ａに沿うことが可能な位置に設けられている。
【００１７】
乗り場１０の建屋壁１の乗り場ドア２の付近の壁面には、操作盤ケース４の装着部１ａが開口し、その開口した装着部１ａに操作盤ケース４が装着され、建屋壁１の壁面に固定されている。
【００１８】
乗り場操作盤プレート３１は図３に示すように操作盤ケース４の裏面側から側面に延びる第１及び第２の板バネ４１ａ，４１ｂと、操作盤ケース４の側壁４ａとの間に差し込まれる。これにより第１及び第２の爪部３４ａ，３４ｂは第１及び第２の板バネ４１ａ，４１と側壁４ａとの間で挟み込まれ、弾性的に押圧された状態で固定される。また、操作盤プレート３１には、エレベータのかごの位置を表示する表示基盤３２及び操作ボタン３３が実装され、表面には表示基盤３２を保護する表示カバー３５が設けられている。また、操作盤プレート３１の表示基盤３２には、昇降路内から敷設される制御ケーブル５の操作基盤用ケーブル５１がコネクタ接続され、表示基盤３２と操作ボタン３３は接続ケーブル６で接続されている。
【００１９】
乗客はこの操作盤３の上下いずれかのボタンを押し、エレベータを乗客が位置している階に呼ぶと共に、自分が行きたい方向が上か下かを指示する。なお、図１は最下階のエレベータ乗り場を示しているので、操作ボタン３３は上方向のみが図示されている。また、この最下階の乗り場の操作盤３の操作盤ケース４の内部には、エレベータを保全するのに必要な保守用コネクタ５２が昇降路内から引き込まれて実装されている。
【００２０】
図４は図２の断面の操作盤プレート３１の下部を拡大して示す図である。同図から分かるように操作盤プレート３１の下部中央には、切欠き３１ａが設けられている。この切欠き３１ａは後述の治具７を使用して操作盤プレート３１を開くためのもので、治具７の操作用突起７２が挿入され、切欠き３１ａに引っ掛かり、切欠き３１ａの近傍の建屋壁１と干渉することなく操作盤プレート３１を操作盤ケース４から引き離すことができるだけの幅寸法及び長さ寸法を備えていればよい。
【００２１】
図５ないし図７は本実施形態における操作盤プレートを引き出す治具を説明するためのものである。図５は正面図、図６は平面図、図７は操作用突起の部分を拡大して示す図５の右側面図である。
【００２２】
図５及び図６に示すように、治具７は操作用突起７２、操作部７３及び直線状の突出部７４からなり、丸棒を成形することにより一体に形成されている。操作部７３は丸棒がコイル状に複数回巻かれ、保守作業員の指が入るように意図されたリング状部７１を備えている。操作用突起７２は前記リング状部７１の一端がリング状部７１の中心と推定される部分から外側に放射状かつ直線状に突出した突出部７４の先端に設けられている。操作用突起７２は図５から分かるように突出部７４の先端側が正面視Ｌ字状に折り曲げられ、折り曲げられた部分が前記切欠き３１に引っ掛かることができるようになっている。
【００２３】
前記丸棒は銅あるいは樹脂材からなり、直径３ｍｍ程度（＝φＢ）の線材である。リング状部７１は内径３０ｍｍ程度の径（φＡ）となっている。リング状部７１の径φＡは、保守作業員の指が入る程度の径として内径３０ｍｍ程度に設定されているが、保守作業員の指が入り、リング状部７１に指を引っ掛けて操作することができればよいので、前記内径に限定されるものではない。なお、丸棒は複数回（図示上は２．５巻き）コイル状に巻かれている。これは複数回巻きかけることにより、治具７を指で引っ掛けて操作する際に、保守作業員の指に掛かる力を分散させるためである。
【００２４】
操作用突起７２は図５に示すように高さ方向の寸法（以下、「高さ寸法」と称す。）をＬ１、厚さ方向の寸法（以下、「厚さ寸法」と称す。）をＬ２としたとき、高さ寸法Ｌ１は図４に示すように下部切欠きの図において上下方向（操作用突起７２の挿入方向）の寸法Ｌａ以下に設定されている。厚さ寸法Ｌ２は図４に示すように切欠きの厚さ方向の寸法Ｌｂ以下に設定されている。これにより、図４の操作盤プレート３１の下部に設けられた、操作盤プレート下部切欠き３１ａに治具７の操作用突起７２が確実に入り込むことができる。
【００２５】
操作用突起７２は、図６に示すように丸棒を先端が平らになるように成形され、突出部７４も操作用突起７２と繋がる部分は平らで幅広に形成され、突出部７４のリング状部７１側で丸棒の形状が残るように成形されている。言い換えれば、丸棒部分から徐々に平らになるように形成され、その後、前記操作盤プレート下部切欠き３１ａと建屋壁１との間の空隙に入るように先端が折り曲げられた形状となっている。この形状は、図７の操作用突起７２の先端部の形状からも明らかである。
【００２６】
図６及び図７から分かるように、操作用突起７２の幅方向の寸法（以下、「幅寸法」と称す。）Ｌ３は、操作盤プレート下部の切欠き３１ａの横幅方向の寸法（図４において紙面に垂直な方向）より狭くなっている。さらには折り曲げられた操作用突起７２の先端部７２ａは半径Ｒ１の円弧状とし、エッジを極力なくすようにしている。これにより操作盤プレート下部切欠き３１ａに治具７の操作用突起７２を挿入する際、乗り場の建屋壁１に触れた場合でも、壁に対して傷を付けることのないようにしている。
【００２７】
図８は操作盤プレート３１をケース４から取り外すときの作業工程を示す動作説明である。操作盤プレート３１をケース４から取り外す場合、
１．まず、第１工程で、保守作業員は治具７のリング状部７１の中に指８を挿入する。
【００２８】
２．第２工程で、操作盤プレート下部の切欠き３１ａの内側に治具７の操作用突起７２を挿入する（図８（ａ））。このとき、図２及び図３に示したように操作盤プレート３１は第１及び第２の板バネ４１ａ，４１ｂによって操作盤ケース４の側壁４ａに押し付けられ、第１及び第２の板バネ４１ａ，４１ｂの弾性力によって操作盤ケース４に保持されている。
【００２９】
３．第３工程で、図８（ｂ）に示すように保守作業員は指８によって治具７を略水平方向に、かつ自分の体の方向（操作盤プレート３１の表面に対して略垂直な方向：矢印Ｄ１方向）に引く。これにより操作盤プレート３１は第１及び第２の板バネ４１ａ，４１ｂの弾性力に抗して引き出され、操作盤プレート３１を開放することができる。
【００３０】
その際、操作用突起７２のＬ字状に折り曲げられた部分は、操作盤下部切欠き３１ａの傾斜面３１ｂに沿った角度に設定することが好ましい。例えば、図５に示す操作用突起７２の折曲角θを９０°以上とすると、操作盤下部切欠き３１ａ内に操作用突起７２を挿入したときに、折り曲げた部分の外側の凸部７５が乗り場の建屋壁１に触れて力が加わることがある。また、前記折曲角θを前記傾斜面３１ｂが操作盤プレート３１の下端３１ｃの面に対してなす角θ１より大きいと、操作用突起７２の先端部７２ａが乗り場の建屋壁１に触れて力が加わることがある。前記凸部７５が建屋壁１に触れ、あるいは先端部７２ａが建屋壁１に触れると、壁に対して傷を付ける可能性が高くなり、いずれも好ましくない。
【００３１】
そこで、操作用突起７２の折曲角θは、
θ１≦θ＜９０°
の範囲で選択するとよい。
【００３２】
なお、本実施形態では、操作盤プレート３１の下部に切欠き３１ａを設けているが、切欠き３１ａに代えて操作用突起７２が係合可能な溝若しくは凹部とすることもできる。
【００３３】
以上のように、本実施形態によれば、以下のような効果を奏する。
【００３４】
１）エレベータ乗り場１０の建屋壁１の壁面に操作盤ケース４が設置され、当該操作盤ケース４の建屋壁１の表面側が操作盤プレート４によって蓋され、当該操作盤プレート４が操作盤ケース４内で板バネ４１ａ，４１ｂにより弾性的に保持されたエレベータ操作盤３の操作盤プレート４を取り外す際、予め操作盤プレート４の端縁（下端３１ｃ）の建屋壁１側に位置する裏側の面に切欠き３１ａを形成しておき、切欠き３１ａに取り外し治具７の操作用突起７２を引っ掛け、当該操作用突起７２を引っ掛けた状態で当該治具７を引っ張り、操作盤プレート４を板バネ４１ａ，４１ｂの保持力から開放して操作盤ケース４から取り外すので、エレベータ乗り場１０の操作盤３の操作盤プレート３１を容易に取り外すことができる。これにより、保守作業を効率的に行うことができる。
【００３５】
２）操作盤プレート３１の下端３１ｃに被係合部として切欠き３１ａを設けているので、下端側から操作盤プレート３１を取り外すことができる。また、取り外したときに下側から開放されるので、操作盤プレート３１の取り外し作業を行いながら、取り外した操作盤プレート３１の下側で操作盤プレート３１の重量を受けることができ、操作盤プレート３１の落下を抑制することができる。また、切欠き３１ａに代えて溝部や凹部とすることもできる。さらに、切欠き３１ａを操作盤プレート３１の上端や側面に設けると、乗客から切欠き３１ａが見え、意匠性の悪化や興味本位にいたずらされるおそれがあるが、下端に設けた場合には、通常、見ることができないので、意匠性への影響を抑えつついたずらされるおそれもほとんどない。
【００３６】
３）切欠き３１ａに係合する取り外し治具７の係合部が、取り外し治具７から突出した突出部７４の先端に形成された操作用突起７２からなるので、簡単な構成で取り外し治具７を提供することができる。
【００３７】
４）突出部７４の先端を折り曲げて操作用突起７２を形成し、さらに、切欠き３１ａと建屋壁１の表面との間に挿入されるべく平面状に形成されているので、建屋壁１の表面に傷を付けることなく操作盤プレート４を取り外すことができる。
【００３８】
５）エレベータ乗り場１０の建屋壁１の壁面に操作盤ケース４が設置され、当該操作盤ケース４の建屋壁１の表面側が操作盤プレート３１によって蓋され、当該操作盤プレート３１が操作盤ケース４内で板バネ４１ａ，４１ｂにより弾性的に保持されたエレベータ操作盤３の操作盤プレート３１を取り外す際に使用する取り外し治具７が、予め切欠き３１ａが形成された操作盤プレート３１の前記切欠き３１ａに引っ掛けるための操作用突起７２と、前記操作用突起７２を前記切欠き３１ａに引っ掛けた状態で建屋壁１の壁面から離間する方向に力を加えるためのリング状に形成された操作部７３と、を備えているので、容易に操作盤プレート３１を操作盤ケース４から取り外すことができる。その際、操作部７３はリング状に形成され、そのリング状に形成された部分に指を入れて操作するので、保守作業員が操作しやすいと共に、作業時に治具７を落とし難くなる。
【００３９】
６）操作用突起７２と操作部７３が線材によって一体に形成され、操作部７３は予め設定された回数巻回されたリング状部７１を備え、操作用突起７２は前記リング状部７１の一端から外側に延長され、突出した線材（突出部７４）の先端に形成されているので、１本の線材から容易に取り外し治具７を成形することができる。
【００４０】
７）エレベータ乗り場１０の建屋壁１の壁面に設置された操作盤ケース４と、当該操作盤ケース４の前記壁面の表面側を蓋する操作盤プレート３１と、前記操作盤ケース４内で前記操作盤プレート３１を弾性的に保持する板バネ４１ａ，４１ｂと、を備えたエレベータ操作盤３の前記操作盤プレート３１の予め設定された端縁（下端部３１ｃ）に、操作盤プレート３１を取り外すための取り外し治具７の係合部７２を引っ掛けるための被係合部（切欠き３１ａ）が形成されているので、この被係合部を利用して操作盤ケース４を容易に開放することができる。
【００４１】
なお、特許請求の範囲においてエレベータ乗り場は本実施形態では符号１０に、建屋壁は符号１に、操作盤ケースは符号４に、操作盤プレートは符号３１に、保持手段は第１及び第２の板バネ４１ａ，４１ｂに、エレベータ操作盤は符号３に、端縁は下端３１ｃに、被係合部は切欠き３１ａに、取り外し治具は符号７に、係合部は操作用突起７２に、操作盤プレートの表面に対して垂直な方向は矢印Ｄ１方向、下端側の端縁は下端３１ｃに、切欠きは符号３１ａに、係合部は操作用突起７２に、操作部は符号７３に、突出部は符号７４に、突起は操作用突起７２に、リング状部は符号７１に、それぞれ対応する。
【符号の説明】
【００４２】
１  建屋壁
３  エレベータ操作盤
４  操作盤ケース
７  取り外し治具
１０  エレベータ乗り場
３１  操作盤プレート
３１ａ  切欠き
３１ｃ  下端
４１ａ，４１ｂ  板バネ
７１  リング状部
７２  操作用突起
７３  操作部
７４  突出部
【図１】
2014009072.tif 000003
【図２】
2014009072.tif 000004
【図３】
2014009072.tif 000005
【図４】
2014009072.tif 000006
【図５】
2014009072.tif 000007
【図６】
2014009072.tif 000008
【図７】
2014009072.tif 000009
【図８】
2014009072.tif 000010